(57)【特許請求の範囲】
【請求項１】
本体に対し、ヒンジ部を介して開閉自在に設けられた蓋と、
操作部が前記蓋の表側に露出し、本体部が蓋の内側に位置し、蓋の内面に沿ってスライド可能なスライド部材と、
スライド部材に設けられ、スライド部材のスライド方向に対し交差する方向に変位して、本体に設けられた係合部に係脱する係合片を有するアームと、
前記蓋に設けられ、スライド部材のスライド時に前記アームに接触してそのアームを撓ませることで、前記係合片を変位させる接触部と、を備えることを特徴とする開閉蓋のロック装置。
【請求項２】
前記アームがスライド部材のスライド方向の両側縁部に設けられ、各アームに前記係合片が設けられていることを特徴とする請求項１に記載の開閉蓋のロック装置。
【請求項３】
前記係合片を複数備え、各係合片は蓋の長手方向の両側に配置されていることを特徴とする請求項１に記載の開閉蓋のロック装置。
【請求項４】
前記アームは複数の係合片を備え、各係合片は蓋の長手方向に間隔をおいて配置されていることを特徴とする請求項１〜３の何れかに記載の開閉蓋のロック装置。
【請求項５】
前記係合片は、前記蓋を閉じるときに前記本体に接触する下面と、その下面と反対側の上面とを有し、前記下面は、係合片の先端に向かうにしたがって上面側へ向かうテーパ面に形成されていることを特徴とする請求項１〜４の何れかに記載の開閉蓋のロック装置。
【請求項６】
前記蓋は、前記スライド部材が装着される蓋本体と、前記スライド部材を前記蓋本体にスライド可能に保持する押さえ部材とを備え、前記蓋本体はその長手方向の両側に設けられた側板部を有し、両側板部に前記係合片を蓋本体の側方へ出没させるガイド孔が設けられていることを特徴とする請求項１〜５の何れかに記載の開閉蓋のロック装置。
【請求項７】
前記スライド部材のアームは、弾性変形可能な樹脂材料により形成されていて、前記蓋の解放状態において、前記蓋の両側板部のガイド孔から前記係合片が突出するように設定されていることを特徴とする請求項６に記載の開閉蓋のロック装置。
【発明の詳細な説明】
【技術分野】
【０００１】
本発明は、例えばデジタルカメラ等の電子機器における、電池やメモリカード等の収納部に装備されている開閉蓋のロック装置に関する。
【背景技術】
【０００２】
デジタルカメラには、電源としての電池や、外部メモリとしてのメモリカード等を収納する開閉蓋付きの電池収納部が設けられている。そして、この開閉蓋（電池蓋）とカメラ本体との間には、開閉蓋の閉じ位置において、その開閉蓋が不用意に開くのを防止する目的で、開閉蓋をカメラ本体側にロックするロック装置が装備されている。
【０００３】
特許文献１には、電池収納部を開閉する電池蓋のロック装置が記載されている。このロック装置は、電池蓋を支持するプレート状の支持部材を備えている。支持部材はヒンジ部を介してカメラ本体（電池収納部）に回動可能に支持されている。さらに、電池蓋は支持部材に対してその長手方向にスライド可能に装着されていて、電池蓋の自由端側にはカメラ本体側のフックに係合するフックが設けられている。
【０００４】
ここで、電池蓋を開ける場合には、電池蓋をその自由端側へスライドさせてフックどうしの係合を解除した後、ヒンジ部を中心に自由端側を回動させて開放状態にする。電池蓋をロックする場合には、電池蓋を閉じた状態でヒンジ部側へスライドさせることで電池蓋をロック状態にする。
【０００５】
特許文献２には、複合カメラの電池室を開閉するバッテリ蓋のロック装置が記載されている。このロック装置では、バッテリ蓋の内面側に設けたスライドフックを、バッテリ蓋の表面側からスライド操作するつまみ（操作部）を設けることで、バッテリ蓋の開閉操作を行いやすくしている。また、スライドフックをコイルバネによりフック（爪部材）側へ付勢することで、バッテリ蓋をロック状態に維持可能に構成している。
【特許文献１】特開２００５−２１６８１１号公報
【特許文献２】特開２０００−２６７１８６号公報
【発明の開示】
【発明が解決しようとする課題】
【０００６】
特許文献１に記載の電池蓋のロック装置では、電池蓋の自由端にフックが設けられているため、電池蓋の中間部分の反りや浮き上がり等が発生しやすく、外観を低下させる問題に加え、構造も複雑になる問題があった。特に、電池蓋がバネによって開方向へ付勢されている場合には、長期間に亘って電池蓋に負荷が掛かるため、反りや浮き上がりが発生しやすくなる。
【０００７】
特許文献２に記載のロック装置では、操作部としてのつまみを有するため、蓋の開閉操作を円滑に行える利点があるものの、カメラ本体の係合部に係合させるフックが蓋の先端側に配置されているため、蓋の形状によっては、蓋の中間部分の反りや浮き上がり等が発生しやすくなる問題がある。特に、薄型のデジタルカメラのように、蓋が細長い板状で、バネによって開方向へ付勢されている場合にはそうした問題が生じやすくなる。
【０００８】
よって、本発明の課題は、開閉蓋が細長い板状であっても反りや浮き上がりを防ぐことができる上に、比較的簡易な構造で実現することができ、操作性にも優れた開閉蓋のロック装置を提供することにある。
【課題を解決するための手段】
【０００９】
以上の課題を解決するため、請求項１に係る発明は、
本体に対し、ヒンジ部を介して開閉自在に設けられた蓋と、
操作部が前記蓋の表側に露出し、本体部が蓋の内側に位置し、蓋の内面に沿ってスライド可能なスライド部材と、
スライド部材に設けられ、スライド部材のスライド方向に対し交差する方向に変位して、本体に設けられた係合部に係脱する係合片を有するアームと、
前記蓋に設けられ、スライド部材のスライド時に前記アームに接触してそのアームを撓ませることで、前記係合片を変位させる接触部と、を備えることを特徴とする。
【００１０】
請求項２に係る発明は、請求項１に記載の開閉蓋のロック装置において、
前記アームがスライド部材のスライド方向の両側縁部に設けられ、各アームに前記係合片が設けられていることを特徴とする。
【００１１】
請求項３に係る発明は、請求項１に記載の開閉蓋のロック装置において、
前記係合片を複数備え、各係合片は蓋の長手方向の両側に配置されていることを特徴とする。
【００１２】
請求項４に係る発明は、請求項１〜３の何れかに記載の開閉蓋のロック装置において、
前記アームは複数の係合片を備え、各係合片は蓋の長手方向に間隔をおいて配置されていることを特徴とする。
【００１３】
請求項５に係る発明は、請求項１〜４の何れかに記載の開閉蓋のロック装置において、
前記係合片は、前記蓋を閉じるときに前記本体に接触する下面と、その下面と反対側の上面と、を有し、前記下面は、係合片の先端に向かうにしたがって上面側へ向かうテーパ面に形成されていることを特徴とする。
【００１４】
請求項６に係る発明は、請求項１〜５の何れかに記載の開閉蓋のロック装置において、
前記蓋は、前記スライド部材が装着される蓋本体と、前記スライド部材を前記蓋本体にスライド可能に保持する押さえ部材とを備え、前記蓋本体はその長手方向の両側に設けられた側板部を有し、両側板部に前記係合片を蓋本体の側方へ出没させるガイド孔が設けられていることを特徴とする。
【００１５】
請求項７に係る発明は、請求項６に記載の開閉蓋のロック装置において、
前記スライド部材のアームは、弾性変形可能な樹脂材料により形成されていて、前記蓋の解放状態において、前記蓋の両側板部のガイド孔から前記係合片が突出するように設定されていることを特徴とする。
【発明の効果】
【００１６】
本発明によれば、スライド部材のスライド方向に対し交差する方向に変位して、本体に設けられた係合部に係脱する係合片を有するアームと、スライド部材のスライド時にアームに接触してそのアームを撓ませることで、係合部を変位させる接触部とを備えているので、フックを開閉蓋の長手方向の中央寄りに配置することが可能になる。これにより、開閉蓋が細長い板状であっても反りや浮き上がりを防ぐことができる上に、比較的簡易な構造で実現することができ、またスライド部材は操作部を備えているので、開閉操作性にも優れた構造とすることができる。
【発明を実施するための最良の形態】
【００１７】
以下、図を参照して本発明を実施するための最良の形態を詳細に説明する。
（実施形態）
図１は、本発明に係る開閉蓋のロック装置を装備したデジタルカメラの全体斜視図である。図２は開閉蓋を開けた状態のデジタルカメラの全体斜視図である。図３はカメラ本体の一部を構成する支持枠と開閉蓋との関係を示す分解斜視図である。図４はスライド部材と蓋本体との関係を示す部分斜視図である。図５はスライド部材の斜視図である。図６は蓋本体の斜視図である。図７はロック装置の組み立て状態の斜視図を示し、図８は蓋を閉じた状態の斜視図を示している。
【００１８】
これらの図に示すように、デジタルカメラ１は、平面視で概略矩形状に形成されるカメラ本体（以下、本体という）１０を備えている。本体１０には、片面側に撮像レンズ２が設けられ、他の片面側には液晶ディスプレイが設けられている。本体１０の底面側には、電池やメモリカード（図示せず）等を収納する収納部７と、その収納部７を開閉する開閉蓋（以下単に蓋と呼ぶ）２０が設けられている。本体１０の底面側には三脚用の取付部４が設けられている。ここでは特に説明しないが、本体１０にはデジタルカメラに必要な機能や機構、各種操作ボタン等が設けられている。
【００１９】
この実施形態に係るロック装置は、本体１０に対し、ヒンジ部８を介して開閉自在に設けられた蓋２０と、操作部５２が蓋２０の表側に露出し、本体部５２が蓋２０の内側に位置し、蓋２０の内面に沿ってスライド可能なスライド部材５０と、スライド部材５０に設けられ、スライド部材５０のスライド方向に対し交差する方向に変位して、本体１０に設けられた係合部３３に係脱する爪状の係合片５３、５３を有する一対のアーム５４、５４と、蓋２０に設けられ、スライド部材５０のスライド時にアーム５４、５４に接触してそのアーム５４、５４を撓ませることで、係合片５３、５３を変位させる接触部２２と、を備えている。次いで、これらの詳細について説明する。
【００２０】
蓋２０は、図３に示すように、本体１０の主要枠部材の一部を構成する支持枠３０に対し、ヒンジピン（ヒンジ部）８を介して開閉自在に連結されている。従って、支持枠３０には、収納部７のための開口部３１や三脚用の取付部４等が形成されている。開口部３１の両側壁３２、３２の部分には、後述するスライド部材５０のフック５３が係脱する係合部３３、３３が設けられている。各係合部３３は正面から見て矩形状の横孔（長孔）として形成されている。
【００２１】
但し、本体１０にはその表面を形成するカバーケース１０ａが設けられるため、各係合部３３は実質的には凹部として形成される。従って、各係合部３３、３３は、図示例では蓋２０の閉じ位置において蓋２０の自由端寄りになるように配置されている。なお、係合部３３の数はフック２３ｆとの関係で決定される。従って、各係合部３３、３３は、係合片の数に対応させて、両側壁３２、３２の長さ方向に間隔をおいて二カ所、合計四カ所設けることもできる。
【００２２】
蓋２０は、図３に示すように、蓋本体２１と、スライド部材５０と、押さえ部材４０とを備えている。蓋本体２１は一端側にピン８が挿入されるピン孔２１１を有している。ピン８部分には蓋本体２１を開方向へ付勢するコイルバネ９が装着されている。蓋本体２１の他端側になる自由端２１２の部分は、本体１０に対応するように湾曲形成されている。
【００２３】
蓋本体２１は平面略長方形の板状（帯板状）に形成されていて、その内面側にスライド部材５０を組み付けるための長孔（組み付け部）２１３が設けられている。蓋本体２１の内面側における長孔２１３の近くには、スライド部材５０のスロット５５に嵌合して、スライド部材５０を蓋本体２１の長手方向に案内するガイドリブ２３が形成されている。
【００２４】
また、蓋本体２１の長手方向の両側には高さの低い側板部２１４、２１４が形成されている。そして、この両側板部２１４、２１４には、一対の係合片５３、５３を蓋本体２１の幅方向にスライド可能にガイドするための横長のガイド孔２１５、２１５がそれぞれ設けられている。各フック５３は、いずれも蓋本体２１の幅方向へ、即ち、蓋本体２１の側方へ向いている。
【００２５】
蓋本体２１の両側板部２１４、２１４の内側には、押さえ部材４０を蓋本体２１へ装着する際に利用する複数の係止突起２１６設けられている。この係止突起２１６には、押さえ部材２４の両側の爪片４１が係止される。また、蓋本体２１の内面における蓋本体２１の自由端近くには、図７に示すように、押さえ部材４０の端部を囲むように位置決めする支持段部２１７が形成されている。また蓋本体２１の基端側寄りの幅方向中央部には、押さえ部材２４の端部の抜き孔４３に嵌合してその端部を位置決めする凸状リブ２１８が設けられている。
【００２６】
スライド部材５０は長孔２１３を貫通して蓋本体２１の表面側へ露呈するつまみ（操作部）２２と、一対のアーム５４、５４とを備え、長孔２１３に沿って一定の範囲で蓋本体２１の長手方向にスライド可能に設けられている。一対のアーム５４、５４は、本体部５１のスライド方向の両側縁部に設けられ、その基端から先端に向かうにしたがって蓋本体２１の幅方向に延びている。両アーム５４の傾斜角αとしては４５度から６０度程度に設定される。
【００２７】
また、両係合片５３は、蓋２０を閉じるときに本体１０に接触する下面、即ち、図示例では支持枠３０の上面３０ａに接触する下面５３ａと、その下面５３ａと反対側の上面５３ｂとを有している。そして、下面５３ａは、係合片５３の先端に向かうにしたがって上面５３ｂ側へ向かうテーパ面に形成されている。係合片５３は実質的には先細りに形成することで、下面５３ａ、上面５３ｂの両方をテーパ面に形成している。上面５３ｂもテーパ面に形成したのは、後述するように蓋２０を閉じるときに、上面５３ｂもガイド孔２１５の上面に接触するからである。
【００２８】
スライド部材５０のアーム５４、５４は、弾性変形可能な樹脂材料により形成されていて、蓋２０の解放状態において、蓋２０の両側板部２１４、２１４のガイド孔２１５、２１５から係合片５３、５３が突出するように設定されている。即ち、この状態はアーム５４、５４に弾性変形が生じていない定常位置にあるときの状態である。
【００２９】
したがって、蓋本体２１には、この状態において、各アーム５４、５４に非接触または単に接触している程度に設定される、柱状突起からなる接触部２２、２２が設けられている。この接触部２２は柱状突起に限らず、スライド部材５０のスライド時にアーム５４、５４に接触（当接）してそのアーム５４、５４を撓ませることで、係合片５３、５３を蓋本体２１の幅方向へ変位させる構成または形状であればよい。ここで、アーム５４と柱状突起からなる接触部２２は、係合片５３を係合部３３に係脱する方向へ変位させる変位機構を構成している。
【００３０】
押さえ部材２４は薄い金属板により形成されていて、その長手方向の両側（幅方向の両端）には、蓋本体２１の長手方向の両側に形成した係止突起２１６、２１６に係止させる爪片４１、４１が設けられている。また、この押さえ部材４０には、先端部が董本体２１の内面中央部に接触する切り起こしバネ４４が設けられている。
【００３１】
切り起こしバネ４４はスライド部材５０を押さえ付ける形態で付勢すると共に、押さえ部材４０自体をガタツキ無く保持する機能を発揮する。なお、スライド部材５０の操作部５２の表面には、図５に示すように、滑り止めとしての複数の隆起５２ａが設けられている。
【００３２】
このような構成のロック装置では、操作部５２が図４、図５、図７に示すオープン位置にあるとき、即ち、スライド部材５０が矢印Ａ方向にスライドした定常位置にある状態では、アーム５４、５４にはカが作用しないため、係合片５３、５３は互いに離間した状態にある（図４参照）。従って、両係合片５３、５３はガイド孔２１５、２１５から突出した状態にある。
【００３３】
この状態で、蓋２０を閉じると（図１、図８参頗）、両係合片５３の下面５３ａが支持枠３０の上面３０ａに接触すると共に、上面５３ｂがガイド孔２１５の上面に接触する。下面３０ａ、上面３０ｂはいずれもテーパ面（先細りの係合片）に形成されているため、蓋２０を押し込むように操作することにより、両係合片５４、５４が互いに接近する方向に変位する。蓋２０を最後まで押し込むことにより、両係合片５４、５４が係合部３３、３３に進入して、蓋２０がロックされる。
【００３４】
操作部５２が図１に示すロック位置にある状態から蓋２０を開放する場合には、スライド部材５０を矢印Ｂ方向にスライドさせれば、バネ９の作用によって蓋２０が図２に示すような開放状態になる。即ち、操作部５２によってスライド部材５０を矢印Ｂ方向にスライドさせると、接触部２２、２２が各アーム５４、５４にそれぞれ接触して、両アーム５４、５４を棲ませる。これにより、係合片５３、５３が互いに接近する方向に変位して、係合部３３、３３から離脱し、ロック装置が開放状態になる。
【００３５】
この実施形態によれば、スライド部材５０のスライド方向に対し交差する方向に変位して、本体１０に設けられた係合部３３に係脱する係合片５３を有するアーム５４と、スライド部材５０のスライド時にアーム５４に接触してそのアーム５４を撓ませることで、係合片３３を変位させる接触部２２とを備えているので、係合片５３を蓋２０の長手方向の中央寄りに配置することが可能になる。これにより、蓋２０が細長い板状であっても反りや浮き上がりを防ぐことができる上に、比較的簡易な構造で実現することができ、またスライド部材５０は操作部５２を備えているので、開閉操作性にも優れた構造とすることができる。
【００３６】
なお、上記実施形態では、係合片５３を蓋本体２１の自由端寄りの両側に配置した例を示したが、スライド部材５０を設ける位置を、蓋本体２１の長手方向の中央寄りに配置することで、両係合片５３、５３を蓋本体２１の長手方向の中央寄りに配置する構成としても良い。このようにすれば、蓋本体２１の反りや中央部分の浮き上がり等を確実に防止することができる。
【００３７】
また、実施形態では両アーム５４のそれぞれに一つの係合片を設けた例を示したが、両アーム５４は複数の係合片をそれぞれ備え、各係合片５４は蓋２０の長手方向に間隔をおいて配置される構成とすることもできる。また、ガイド孔２１５自体はなくてもロック装置としての機能は発揮する。しかし、係合片５３の作動（変位）を円滑にする点で、ガイド孔２１５を設ける方が望ましい。
【００３８】
さらに、実施形態では、押さえ部材２４によってスライド部材５０を蓋本体２１に保持する構成としたが、スライド部材５０の本体部５１と操作部５２とを別部材として、本体部５１を蓋本体２１の内面側に配置し、操作部５２を蓋本体２１の表面側に配置する形態で、操作部５２を本体部５１に連結する構成としてもよい。このようにすれば、押さえ部材２４を省略することができる。
【００３９】
なお、以上の実施形態では、本発明をデジタルカメラの開閉蓋に適用した例を示したが、ＰＤＦやノートパソコン等の開閉蓋を有する他の電子機器にも適用することができる。
【図面の簡単な説明】
【００４０】
【図１】本発明の実施形態の構成を示す斜視図。
【図２】本発明の実施形態の構成（蓋の閉状態）を示す斜視図。
【図３】本発明の実施形態の構成（蓋と支持枠との関係）を示す分解斜視図。
【図４】本発明の実施形態に係るスライド部材と蓋本体との関係を示す部分斜視図。
【図５】本発明の実施形態に係るスライド部材の斜視図。
【図６】本発明の実施形態に係る蓋本体の斜視図。
【図７】本発明の実施形態に係るロック装置の組み立て状態の斜視図。
【図８】本発明の実施形態に係る蓋を閉じた状態の斜視図。
【符号の説明】
【００４１】
１  デジタルカメラ
７  収納部
８  ヒンジ部
９  コイルバネ
１０  本体
２０  蓋
２１  蓋本体
２２  接触部
２４  押さえ部材
３０  支持枠
３３  係合部
５０  スライド部材
５１  本体部
５２  操作部
５３  係合片
５３ａ  下面
５３ｂ  上面
５４  アーム
【図１】
0005012501.tif 000002
【図２】
0005012501.tif 000003
【図３】
0005012501.tif 000004
【図４】
0005012501.tif 000005
【図５】
0005012501.tif 000006
【図６】
0005012501.tif 000007
【図７】
0005012501.tif 000008
【図８】
0005012501.tif 000009